(57)【特許請求の範囲】
【請求項１】
載置台上の物空間を撮像した画像を所定の時間毎に読み取って画像信号として出力する画像読取り部と、
表示部と、
パソコンと、
前記画像読取り部から入力される前記画像信号を前記所定の時間毎に監視して、被写体が前記載置台に載置されたか否かを検出する被写体検出手段と、
前記被写体の画像を前記表示部に表示する表示モード制御手段と、
前記被写体検出手段により前記被写体が載置されたことが検出されたとき、前記画像読取り部から入力された前記画像信号に基づいて、前記撮像した画像を予め指定された記憶手段に格納する画像格納手段とを備えてなる画像取込み装置であって、
前記被写体検出手段は、
前記画像読取り部から入力される前記画像信号の各フレームの画素値の合計値を、前記所定の時間毎の前記フレーム毎に比較し、比較した結果、前記画素値の合計値が、フレーム間で所定の基準値を超えて変化したとき、前記被写体が前記載置台に載置されたことを検出すると共に、
前記表示モード制御手段は、
前記被写体検出手段により前記被写体が載置されたことが検出されると、前記パソコン上で動作中のプリゼンテーション用アプリケーションソフトを、前記画像読取り部を書画カメラとして動作させるためのアプリケーションソフトに自動切替して、前記被写体の画像を前記表示部に表示することを特徴とする画像取込み装置。
【請求項２】
前記記憶手段が携帯型ファイルメモリからなることを特徴とする請求項１記載の画像取込み装置。
【請求項３】
載置台上の物空間を撮像した画像を所定の時間毎に読み取って画像信号として出力する画像読取り部と、表示部と、パソコンとを備えてなる画像取込み装置に用いられ、
前記画像読取り部から入力される前記画像信号を前記所定の時間毎に監視して、被写体が前記載置台に載置されたか否かを検出する被写体検出手段と、
前記被写体の画像を前記表示部に表示する表示モード制御手段と、
前記被写体検出手段により前記被写体が載置されたことが検出されたとき、前記画像読取り部から入力された前記画像信号に基づいて、前記撮像した画像を予め指定された記憶手段に格納する画像格納手段とを備えてなる画像取込み制御装置であって、
前記被写体検出手段は、
前記画像読取り部から入力される前記画像信号の各フレームの画素値の合計値を、前記所定の時間毎の前記フレーム毎に比較し、比較した結果、前記画素値の合計値が、フレーム間で所定の基準値を超えて変化したとき、前記被写体が前記載置台に載置されたことを検出すると共に、
前記表示モード制御手段は、
前記被写体検出手段により前記被写体が載置されたことが検出されると、前記パソコン上で動作中のプリゼンテーション用アプリケーションソフトを、前記画像読取り部を書画カメラとして動作させるためのアプリケーションソフトに自動切替して、前記被写体の画像を前記表示部に表示することを特徴とする画像取込み制御装置。
【請求項４】
前記記憶手段が携帯型ファイルメモリからなることを特徴とする請求項３記載の画像取込み制御装置。
【請求項５】
載置台上の物空間を撮像した画像を所定の時間毎に読み取って画像信号として出力する画像読取り部と、表示部と、パソコンとを備えてなる画像取込み装置に用いられ、
前記画像読取り部から入力される前記画像信号を前記所定の時間毎に監視して、被写体が前記載置台に載置されたか否かを検出する被写体検出処理と、
前記被写体の画像を前記表示部に表示する表示モード制御処理と、
前記被写体検出処理により前記被写体が載置されたことが検出されたとき、前記画像読取り部から出力される前記画像信号に基づいて、前記撮像した画像を予め指定された記憶手段に格納する画像格納処理とを行う画像取込み制御方法であって、
前記被写体検出処理では、
前記画像読取り部から入力される前記画像信号の各フレームの画素値の合計値を、前記所定の時間毎の前記フレーム毎に比較し、比較した結果、前記画素値の合計値が、フレーム間で所定の基準値を超えて変化したとき、前記被写体が前記載置台に載置されたことを検出すると共に、
前記表示モード制御処理では、
前記被写体検出処理により前記被写体が載置されたことが検出されると、前記パソコン上で動作中のプリゼンテーション用アプリケーションソフトを、前記画像読取り部を書画カメラとして動作させるためのアプリケーションソフトに自動切替して、前記被写体の画像を前記表示部に表示することを特徴とする画像取込み制御方法。
【請求項６】
前記記憶手段が携帯型ファイルメモリからなることを特徴とする請求項５記載の画像取込み制御方法。
【請求項７】
コンピュータを請求項１又は２記載の画像取込み装置として機能させることを特徴とする画像取込み制御プログラム。
【請求項８】
コンピュータを請求項３又は４記載の画像取込み制御装置として機能させることを特徴とする画像取込み制御プログラム。
【発明の詳細な説明】
【技術分野】
【０００１】
この発明は、画像取込み装置、該装置に用いられる画像取込み制御装置、画像取込み制御方法及び画像取込み制御プログラムに係り、特に、書画台などの載置台上に載置された原稿などの被写体の画像を映し出してプレゼンテーションなどを行う場合に用いて好適な画像取込み装置、該装置に用いられる画像取込み制御装置、画像取込み制御方法及び画像取込み制御プログラムに関する。
【背景技術】
【０００２】
画像取込み装置には、画像読取り部に密着された原稿の画像を走査して読み取る密着型の他、原稿を画像読取り部に密着させずに上方から読み取るスタンド型のものがある。スタンド型の画像取込み装置は、原稿などの被写体を載置するための載置台及び光電変換素子などの撮像素子を有し、同載置台上の物空間を撮像した画像を読み取る画像読取り部を備えている。この画像読取り部は、ビデオカメラとしての機能を有し、常に動画を取込む動作を行う他、機種によっては、パーソナルコンピュータ（パソコン、ＰＣ）との接続インタフェースを有するものがあり、パソコンに接続された場合、ユーザが同パソコンを操作して画像取込み用のアプリケーションソフトをアクティブモードとすることにより、撮像した画像の取り込みを行う。
【０００３】
この種の画像読取り部は、従来では、たとえば、非特許文献１に記載されたマルチプロジェクションカメラがある。このマルチプロジェクションカメラは、デジタルカメラ及び書画カメラの機能を兼備しているものであり、パソコンによる画像の取込み専用のアプリケーションソフトが用いられ、通常のプリゼンテーションにおいて、ユーザがパソコンを操作することにより同アプリケーションソフトが選択される。
【０００４】
図４は、この画像読取り部を備えた画像取込み装置の一例を示す構成図である。
この画像取込み装置は、図４に示すように、画像読取り部（スタンド型スキャナ）１０と、表示部２０と、パソコン（ＰＣ）３０とから構成されている。画像読取り部１０は、載置台１１と、レンズ１２と、光電変換素子１３と、アーム機構１４と、操作ボタン１５とから構成されている。表示部２０は、プロジェクタ２１と、スクリーン２２とから構成されている。パソコン３０は、パソコン本体３１と、キーボード３２と、モニタ３３と、携帯型ファイルメモリ３４とから構成されている。
【０００５】
この画像取込み装置では、図５に示すように、期間Ｔ１において、イベントとして、パソコン３０での説明が行われる。すなわち、画像読取り部（スタンド型スキャナ）１０が接続され、かつ、プリゼンテーションで使用するパソコン３０のある場所（Ｂ）にて、発表者（ユーザ）により同パソコン３０を用いて所定の説明（プリゼンテーション）が行われる。このとき、パソコン３０は、プリゼンテーションを行うためのアプリケーションソフト（ＡＰ）Ｄに基づいて動作し、同ソフトに対応した画像がプロジェクタ２１によってスクリーン２２に映し出されている。プリゼンテーション鑑賞者は、このパソコン３０での説明を受けている。そして、時刻ｔ１において、発表者がパソコン３０を操作することにより、書画カメラとしての画像読取り部１０を動作させるためのアプリケーションソフト（ＡＰ）Ｃに手動で切り替えられ（フェーズＥ）、これにより、パソコン３０の表示モードＮが切り替えられる。
【０００６】
期間Ｔ２において、発表者（又は同発表者の手）は、画像読取り部１０のある場所（Ａ）に移動（フェーズＦ）して図示しない原稿などを載置台１１上に置き、手動により同画像読取り部１０の操作ボタン１５を押下する（フェーズＧ）。この期間Ｔ２では、フェーズＥからフェーズＧまでの間、プロジェクタ２１によってスクリーン２２に不要な画像が映し出され、読込み画像が表示されない時間が経過するため（フェーズＨ）、プリゼンテーション鑑賞者に対して、特に意味をもたない状態となっている。
【０００７】
期間Ｔ３において、画像読取り部１０での説明が行われる。すなわち、発表者により、画像読取り部１０を用いてプリゼンテーションが行われる。このとき、パソコン３０は、画像読取り部１０を動作させるためのアプリケーションソフト（ＡＰ）Ｃに基づいて動作し、同画像読取り部１０で読み取られた載置台１１上の物空間にある被写体の画像がプロジェクタ２１によってスクリーン２２に映し出されている。プリゼンテーション鑑賞者は、この画像読取り部１０で読み取られた画像に対応した説明を受けている。
【０００８】
この後、期間Ｔ４において、発表者（又は同発表者の手）は、パソコン３０のある場所（Ｂ）へ移動し（フェーズＪ）、時刻ｔ４において、プリゼンテーションを行うためのアプリケーションソフト（ＡＰ）Ｄに手動で切り替える（フェーズＫ）。この期間Ｔ４では、プリゼンテーション鑑賞者は、期間Ｔ３から説明を継続して受けている。
【０００９】
期間Ｔ５において、期間Ｔ１と同様に、パソコン３０での説明が行われる。また、画像読取り部１０で読み取られた画像を携帯型ファイルメモリ３４に取り込む場合、ユーザが、対応するアプリケーションソフトに切り替えて操作ボタン１５を押下し、同画像を格納する場所（すなわち、携帯型ファイルメモリ３４）を指定する。
【００１０】
上記の画像取込み装置の他、従来、この種の技術としては、たとえば、次のような文献に記載されたものがある。
特許文献１に記載された画像読取装置では、操作ボタンが押下された回数が画像読取装置から情報処理装置に通知され、同情報処理装置において、この回数に基づいて、画像読取装置を制御するモードが決定され、同画像読取装置と同情報処理装置とを含む画像処理装置の操作性が向上する。
【００１１】
特許文献２に記載されたプロジェクタでは、タッチパネル付き表示部が備えられ、ユーザが同タッチパネルを操作することにより、同タッチパネルのスイッチ位置と対応付けられた操作画面画像が操作される。また、リモコン装置を使用し、受信部を介して操作画面画像の操作を行うことも可能となる。そして、タッチパネルでの操作及びリモコン装置での操作により、選択された項目に応じた所定の処理の実行が可能となる。このため、プロジェクタの投射するために必要な各種操作の操作性及び利便性が向上する。
【特許文献１】特開２００１−１２５７１９号公報（要約書、図１）
【特許文献２】特開２００５−２１５１４４号公報（第４頁、図１）
【非特許文献１】カシオ計算機株式会社、ホームページ、“マルチプロジェクションカメラＹＣ−４００”
【発明の開示】
【発明が解決しようとする課題】
【００１２】
しかしながら、上記従来の画像取込み装置では、次のような問題点があった。
すなわち、図４に示す画像取込み装置では、ユーザは、パソコン３０のある場所（Ｂ）にて、アプリケーションソフト（ＡＰ）Ｃに切り替え（フェーズＥ）た後、画像読取り部１０のある場所（Ａ）に移動（フェーズＦ）して原稿を載置台１１上に置き、同画像読取り部１０の操作ボタン１５を押下する（フェーズＧ）ため、これらの間を行き来する必要があり、プリゼンテーションなどにおける説明が中断すると共に無駄な時間が発生するという問題点がある。また、画像読取り部１０で読み取られた画像を携帯型ファイルメモリ３４に取り込む場合、ユーザが、対応するアプリケーションソフトに切り替えて操作ボタン１５を押下し、同画像を格納する場所を指定するため、煩雑な操作が必要となるという問題点もある。
【００１３】
また、特許文献１に記載された画像読取装置では、操作ボタンが押下された回数に基づいて、同画像読取装置を制御するモードが決定されるが、被写体の画像を取り込む場合の操作性は、改善されない。
【００１４】
特許文献２に記載されたプロジェクタでは、タッチパネルでの操作及びリモコン装置での操作により、選択された項目に応じた所定の処理の実行が可能となり、各種操作の操作性及び利便性が向上するため、この発明と目的及び効果は類似しているが、構成が異なっている。
【００１５】
この発明は、上述の事情に鑑みてなされたもので、ユーザが画像読取り部とパソコンとの間を行き来する必要がなく、プリゼンテーションなどにおける説明が中断して無駄な時間が発生しない画像取込み装置、該装置に用いられる画像取込み制御装置、画像取込み制御方法及び画像取込み制御プログラムを提供することを目的としている。
【課題を解決するための手段】
【００１８】
上記課題を解決するために、この発明の第１の構成は、載置台上の物空間を撮像した画像を所定の時間毎に読み取って画像信号として出力する画像読取り部と、表示部と、パソコンと、前記画像読取り部から入力される前記画像信号を前記所定の時間毎に監視して、被写体が前記載置台に載置されたか否かを検出する被写体検出手段と、前記被写体の画像を前記表示部に表示する表示モード制御手段と、前記被写体検出手段により前記被写体が載置されたことが検出されたとき、前記画像読取り部から入力された前記画像信号に基づいて、前記撮像した画像を予め指定された記憶手段に格納する画像格納手段とを備えてなる画像取込み装置に係り、前記被写体検出手段は、前記画像読取り部から入力される前記画像信号の各フレームの画素値の合計値を、前記所定の時間毎の前記フレーム毎に比較し、比較した結果、前記画素値の合計値が、フレーム間で所定の基準値を超えて変化したとき、前記被写体が前記載置台に載置されたことを検出すると共に、前記表示モード制御手段は、前記被写体検出手段により前記被写体が載置されたことが検出されると、前記パソコン上で動作中のプリゼンテーション用アプリケーションソフトを、前記画像読取り部を書画カメラとして動作させるためのアプリケーションソフトに自動切替して、前記被写体の画像を前記表示部に表示することを特徴としている。
【００２２】
この発明の第２の構成は、載置台上の物空間を撮像した画像を所定の時間毎に読み取って画像信号として出力する画像読取り部と、表示部と、パソコンとを備えてなる画像取込み装置に用いられ、前記画像読取り部から入力される前記画像信号を前記所定の時間毎に監視して、被写体が前記載置台に載置されたか否かを検出する被写体検出手段と、前記被写体の画像を前記表示部に表示する表示モード制御手段と、前記被写体検出手段により前記被写体が載置されたことが検出されたとき、前記画像読取り部から入力された前記画像信号に基づいて、前記撮像した画像を予め指定された記憶手段に格納する画像格納手段とを備えてなる画像取込み制御装置に係り、前記被写体検出手段は、前記画像読取り部から入力される前記画像信号の各フレームの画素値の合計値を、前記所定の時間毎の前記フレーム毎に比較し、比較した結果、前記画素値の合計値が、フレーム間で所定の基準値を超えて変化したとき、前記被写体が前記載置台に載置されたことを検出すると共に、前記表示モード制御手段は、前記被写体検出手段により前記被写体が載置されたことが検出されると、前記パソコン上で動作中のプリゼンテーション用アプリケーションソフトを、前記画像読取り部を書画カメラとして動作させるためのアプリケーションソフトに自動切替して、前記被写体の画像を前記表示部に表示することを特徴としている。
【００２６】
この発明の第３の構成は、載置台上の物空間を撮像した画像を所定の時間毎に読み取って画像信号として出力する画像読取り部と、表示部と、パソコンとを備えてなる画像取込み装置に用いられ、前記画像読取り部から入力される前記画像信号を前記所定の時間毎に監視して、被写体が前記載置台に載置されたか否かを検出する被写体検出処理と、前記被写体の画像を前記表示部に表示する表示モード制御処理と、前記被写体検出処理により前記被写体が載置されたことが検出されたとき、前記画像読取り部から出力される前記画像信号に基づいて、前記撮像した画像を予め指定された記憶手段に格納する画像格納処理とを行う画像取込み制御方法に係り、前記被写体検出処理では、前記画像読取り部から入力される前記画像信号の各フレームの画素値の合計値を、前記所定の時間毎の前記フレーム毎に比較し、比較した結果、前記画素値の合計値が、フレーム間で所定の基準値を超えて変化したとき、前記被写体が前記載置台に載置されたことを検出すると共に、前記表示モード制御処理では、前記被写体検出処理により前記被写体が載置されたことが検出されると、前記パソコン上で動作中のプリゼンテーション用アプリケーションソフトを、前記画像読取り部を書画カメラとして動作させるためのアプリケーションソフトに自動切替して、前記被写体の画像を前記表示部に表示することを特徴としている。
【発明の効果】
【００３０】
この発明の構成によれば、被写体検出手段により被写体が載置されたことが検出されたとき、画像読取り部から出力される画像信号に基づいて、載置台上の被写体を撮像した画像が画像格納手段にファイルとして格納されるので、繁雑な操作を不要にでき、利便性を向上できる。
【発明を実施するための最良の形態】
【００３１】
原稿などの被写体が載置台上に載置されたことが画像読取り部で検出され、制御部の表示プログラムがアクティブモードでなければ、同表示プログラムがアクティブモードに切り替えられ、載置台上の被写体の画像が表示部に表示される画像取込み装置を提供する。
【実施例】
【００３２】
図１は、この発明の一実施例である画像取込み装置の要部の構成を示す模式図である。
この例の画像取込み装置は、同図に示すように、画像読取り部４０と、表示部５０と、パソコン（ＰＣ）６０とから構成されている。画像読取り部４０は、載置台４１と、レンズ４２と、光電変換素子４３と、アーム機構４４と、操作ボタン４５とから構成されている。載置台４１は、原稿などの被写体を載置するためのものである。光電変換素子４３は、たとえばＣＭＯＳセンサなどで構成され、レンズ４２を介して載置台４１上の物空間を撮像した画像を所定の時間（たとえば、１００ｍ秒）毎に読み取る。アーム機構４４は、載置台４１と、レンズ４２及び光電変換素子４３との間を所定の距離に保つ。操作ボタン４５は、たとえば、パソコン６０で実行されるプログラムを任意に切り替えるためのものである。表示部５０は、プロジェクタ５１と、スクリーン５２とから構成されている。プロジェクタ５１は、内部の光源から与えられる光に対して、たとえば液晶などにより表示用の画像に対応した変調を行い、スクリーン５２に投影する。
【００３３】
パソコン６０は、パソコン本体６１と、キーボード６２と、モニタ６３と、携帯型ファイルメモリ６４とから構成されている。パソコン本体６１は制御部６１Ｃを有し、同制御部６１Ｃは、パソコン６０全体を制御するＣＰＵ（中央処理装置）６１ａ及び同ＣＰＵ６１ａを動作させるための画像取込み制御プログラムが記録されたＲＯＭ（リード・オンリ・メモリ）６１ｂを有している。特に、この実施例では、制御部６１Ｃは、画像読取り部４０から出力される画像信号ｖに基づいて、載置台４１上の物空間を撮像した画像を表示部５０に表示するための表示プログラムを有すると共に、同画像信号ｖを上記所定の時間毎に監視し、同画像信号ｖが所定の基準値を超えて変化したとき、被写体が載置台４１に載置されたことを検出し、同被写体が載置されたことが検出され、かつ同表示プログラムがアクティブモードでないとき、同表示プログラムをアクティブモードに切り替える。
【００３４】
また、制御部６１Ｃは、被写体が載置台４１に載置されたことが検出されたとき、画像読取り部４０から出力される画像信号ｖに基づいて、載置台４１上の物空間を撮像した画像を予め指定された記憶手段にファイルとして格納する。この場合、記憶手段は、たとえば携帯型ファイルメモリ６４が指定される。携帯型ファイルメモリ６４は、パソコン本体６１に対して着脱可能なメモリカードなどで構成されている。また、上記画像信号ｖの所定の基準値を超えた変化は、たとえば、各フレームの画素値の合計値をフレーム毎に比較することにより検出される。また、この制御部６１Ｃにより、被写体検出手段、表示モード制御手段及び画像格納手段が構成されている。キーボード６２は、発表者の操作によりパソコン本体６１に対して操作信号を送出する。モニタ６３は、たとえば液晶表示装置などで構成され、パソコン本体６１の動作に対応した画面を表示する。
【００３５】
図２及び図３は、図１の画像取込み装置の動作を説明するシーケンス図である。
これらの図を参照して、この例の画像取込み装置に用いられる画像取込み制御方法の処理内容について説明する。
この画像取込み装置では、画像読取り部４０から出力される画像信号ｖが所定の時間毎に監視され、同画像信号ｖが所定の基準値を超えて変化したとき、原稿などの被写体が載置台４１に載置されたことが検出される（被写体検出処理）。そして、被写体が載置されたことが検出され、かつ、載置台４１上の物空間を撮像した画像を表示部５０に表示するための表示プログラムがアクティブモードでないとき、同表示プログラムがアクティブモードに切り替えられる（表示モード制御処理）。また、被写体が載置台４１に載置されたことが検出されたとき、画像信号ｖに基づいて、同載置台４１上の物空間を撮像した画像が予め指定された記憶手段にファイルとして格納される（画像格納処理）。
【００３６】
すなわち、図２に示すように、期間Ｔ１において、イベントとして、パソコン６０での説明が行われる。すなわち、画像読取り部（スタンド型スキャナ）４０が接続され、かつ、プリゼンテーションで使用するパソコン６０のある場所（Ｂ）にて、発表者により同パソコン６０を用いて所定の説明（プリゼンテーション）が行われる。このとき、パソコン６０は、プリゼンテーションを行うためのアプリケーションソフト（ＡＰ）Ｄに基づいて動作し、同ソフトに対応した画像がプロジェクタ５１によってスクリーン５２に映し出されている。プリゼンテーション鑑賞者は、このパソコン６０での説明を受けている。
【００３７】
期間Ｔ２において、プリゼンテーション鑑賞者がパソコン６０での説明を継続して受けている状態となっている。このとき、発表者は、パソコン６０のある場所（Ｂ）から、画像読取り部４０のある場所（Ａ）に移動し（フェーズＦ）、時刻ｔ２において、図示しない原稿を載置台４１に置く（フェーズＰ）。この場合、パソコン６０により、画像信号ｖの各フレームの画素値の合計値がフレーム毎に比較されて同画像信号ｖの所定の基準値を超えた変化が検出され、原稿が載置台４１に載置されたことが検出される（被写体検出処理）。そして、表示プログラムがアクティブモードでなければ、同表示プログラムがアクティブモードに切り替えられる（フェーズＮ、表示モード制御処理）。また、プロジェクタ５１によってスクリーン５２に映し出される画像が自動で切り替えられ、載置台４１上の被写体の画像が表示される。このため、発表者が画像読取り部４０とパソコン６０との間を行き来する必要がなく、プリゼンテーションなどにおける説明が中断して無駄な時間が発生することがない。
【００３８】
期間Ｔ３において、画像読取り部４０での説明が行われる。すなわち、発表者により、画像読取り部４０を用いてプリゼンテーションが行われる。このとき、パソコン６０は、画像読取り部４０を書画カメラとして動作させるためのアプリケーションソフト（ＡＰ）Ｃに基づいて動作し、同画像読取り部４０で読み取られた載置台４１上の物空間にある被写体の画像がプロジェクタ５１によってスクリーン５２に映し出されている。プリゼンテーション鑑賞者は、この画像読取り部４０で読み取られた画像に対応した説明を受けている。
【００３９】
この後、期間Ｔ４において、発表者（又は同発表者の手）は、パソコン６０のある場所Ｂへ移動し（フェーズＱ）、時刻ｔ４において、他のプリゼンテーションを行うためのアプリケーションソフト（ＡＰ）に手動で切り替える（フェーズＲ）。この期間Ｔ４では、プリゼンテーション鑑賞者は、期間Ｔ３から説明を継続して受けている。期間Ｔ５において、期間Ｔ１と同様に、パソコン６０での説明が行われる。
【００４０】
また、図３に示すように、期間Ｔ１において、パソコン６０では、待機状態でアプリケーションソフト（ＡＰ）Ｕが実行されている。また、発表者は、パソコン６０のある場所（Ｂ）に待機している。
【００４１】
期間Ｔ２乃至期間Ｔ３において、発表者は、画像読取り部４０のある場所（Ａ）に移動（フェーズＦ）し、時刻ｔ２において、図示しない原稿を載置台４１に載置する（フェーズＷ）。そして、画像読取り部４０から出力された画像信号ｖに基づいて、載置台４１上の原稿の画像がパソコン６０に取り込まれる（フェーズＶ）。このとき、パソコン６０は、画像読取り部４０を書画カメラとして動作させるためのアプリケーションソフト（ＡＰ）Ｃに基づいて動作する。そして、パソコン６０により、画像信号ｖの各フレームの画素値の合計値がフレーム毎に比較されて同画像信号ｖの所定の基準値を超えた変化が検出され、原稿が載置台４１に載置されたことが検出される（被写体検出処理）。
【００４２】
期間Ｔ４において、発表者（又は同発表者の手）は、パソコン６０のある場所Ｂへ移動し（フェーズＱ）、時刻ｔ４において、他のプリゼンテーションを行うためのアプリケーションソフト（ＡＰ）に手動で切り替える（フェーズＲ）。また、パソコン６０に取り込まれた載置台４１上の原稿の画像は、携帯型ファイルメモリ６４にファイルとして格納される（フェーズＺ、画像格納処理）。また、このとき、ファイル名が自動で入力される。このため、画像を格納する場所を指定するための煩雑な操作が不要となる。
【００４３】
期間Ｔ５において、期間Ｔ１と同様に、パソコン６０では、待機状態でアプリケーションソフト（ＡＰ）Ｕが実行され、また、発表者は、パソコン６０のある場所（Ｂ）に待機している。
【００４４】
以上のように、この実施例では、原稿が載置台４１に載置されたことが検出され、表示プログラムがアクティブモードでなければ、同表示プログラムがアクティブモードに切り替えられ、載置台４１上の被写体の画像が表示部５０に表示される。このため、発表者が画像読取り部４０とパソコン６０との間を行き来する必要がなく、次に取込みを行う画像を表示するまでの時間が節約され、プリゼンテーションなどにおける説明が中断することなく、円滑に継続される。また、載置台４１上の被写体の画像が携帯型ファイルメモリ６４にファイルとして格納され、このとき、ファイル名が自動で入力されるので、繁雑な操作が不要となり、利便性が向上する。
【００４５】
以上、この発明の実施例を図面により詳述してきたが、具体的な構成は同実施例に限られるものではなく、この発明の要旨を逸脱しない範囲の設計の変更などがあっても、この発明に含まれる。
たとえば、上記実施例では、パソコン６０による画像信号ｖの所定の基準値を超えた変化の検出は、各フレームの画素値の合計値をフレーム毎に比較することにより検出されるが、同画像信号ｖの変化が検出されるものであれば、任意の方法で良い。また、パソコン６０に代えて、上記被写体検出手段、表示モード切替え手段及び画像格納手段としての機能を有する専用の制御装置を設けても良い。また、光電変換素子４３は、ＣＭＯＳセンサの他、たとえばＣＣＤセンサなどでも良い。また、上記実施例では、表示部として、プロジェクタ５１及びスクリーン５２が用いられているが、たとえば、液晶表示装置やプラズマ表示装置などを用いても良い。また、画像読取り部４０は、載置台４１が付属していないものでも良く、この場合、被写体を載置できる任意のもので良い。また、携帯型ファイルメモリ６４は、メモリカードに限らず、たとえば、ＤＶＤ−Ｒ，ＤＶＤ−ＲＷドライブなどでも良い。
【産業上の利用可能性】
【００４６】
この発明は、書画台などの載置台上に載置された被写体の画像を映し出してプレゼンテーションなどを行う画像取込み装置全般に適用でき、特に、同載置台と制御部とが離れている場合に有効である。
【図面の簡単な説明】
【００４７】
【図１】この発明の一実施例である画像取込み装置の要部の構成を示す模式図である。
【図２】図１の画像取込み装置の動作を説明するシーケンス図である。
【図３】図１の画像取込み装置の動作を説明するシーケンス図である。
【図４】従来の画像取込み装置の構成図である。
【図５】図４の画像取込み装置の動作を説明するシーケンス図である。
【符号の説明】
【００４８】
４０      画像読取り部
４１      載置台
４２      レンズ
４３      光電変換素子
４４      アーム機構
４５      操作ボタン
５０      表示部
５１      プロジェクタ（表示部の一部）
５２      スクリーン（表示部の一部）
６０      ＰＣ（パソコン）
６１      パソコン本体
６１Ｃ      制御部（被写体検出手段、表示モード制御手段、画像格納手段、画像取込み制御装置）
６１ａ      ＣＰＵ（中央処理装置）
６１ｂ      ＲＯＭ（リード・オンリ・メモリ）
６２      キーボード（パソコンの一部）
６３      モニタ（パソコンの一部）
６４      携帯型ファイルメモリ（記憶手段）
【図１】
0005286640.tif 000002
【図２】
0005286640.tif 000003
【図３】
0005286640.tif 000004
【図４】
0005286640.tif 000005
【図５】
0005286640.tif 000006